(57)【要約】【課題】系の固有振動数を調整可能な熱音響発電装置を提供する。【解決手段】実施形態によれば、熱音響発電装置１のうち音圧発生部２０は、熱エネルギの供給を受ける高温側熱交換器２４と、低温側熱交換器２６と、作動流体が貫流可能な複数の通路が形成されているスタック２２とを有し、当該高温側熱交換器２４から当該低温側熱交換器２６に向かうに従って低温となる温度勾配をスタック２２に形成することにより、作動流体に音圧を発生させる。発電部３０は、作動流体の音圧を受けて往復動する往復動部材３３を有し、当該往復動部材３３の往復動を電気エネルギに変換する。音圧発生部２０と発電部３０とを接続し、内部に作動流体が充填される配管１１は、軸方向に伸縮可能な部分である伸縮部１５を有している。【選択図】図１
2016096614.tif 000002
【特許請求の範囲】
【請求項１】
熱音響現象を利用して熱エネルギを電気エネルギに変換する熱音響発電装置であって、
熱エネルギの供給を受ける高温側熱交換器と、高温側熱交換器に比べて低温である低温側熱交換器と、当該高温側熱交換器と当該低温側熱交換器との間に設けられており且つ作動流体が貫流可能な複数の通路が形成されているスタックと、を有し、当該高温側熱交換器から当該低温側熱交換器に向かうに従って低温となる温度勾配をスタックに形成することにより、作動流体に音圧を発生させる音圧発生部と、
作動流体の音圧を受けて往復動する往復動部材を有し、当該往復動部材の往復動を電気エネルギに変換する発電部と、
前記音圧発生部と前記発電部とを接続し、内部に作動流体が充填される配管と、
を備え、
当該配管は、軸方向に伸縮可能な部分である伸縮部を有している
ことを特徴とする熱音響発電装置。
【請求項２】
前記伸縮部は、縦断面が蛇腹状をなしている
ことを特徴とする請求項１に記載の熱音響発電装置。
【請求項３】
前記往復動部材は、軸方向に延びる略円柱状をなしており、且つ磁石を含んで構成されており、
前記発電部は、当該往復動部材より径方向外側において線材が巻回されて構成されたコイルを有し、
当該往復動部材が作動流体の音圧を受けて往復動すると、前記コイルには電流が生じる
ことを特徴とする請求項１又は請求項２に記載の熱音響発電装置。
【請求項４】
前記発電部は、
径方向において前記コイルと前記往復動部材との間に設けられており、且つ軸方向に延びる筒状をなしており、当該コイルの線材が巻き付けられるコイル芯をさらに備え、
当該コイル芯は、前記配管のうち軸方向発電側の端部に結合されており、
前記往復動部材は、軸方向反対側の端面が、前記配管の径方向内側にある空間に面している
ことを特徴とする請求項３に記載の熱音響発電装置。
【請求項５】
熱音響現象を利用して熱エネルギを電気エネルギに変換する熱音響発電装置であって、
熱エネルギの供給を受ける高温側熱交換器と、高温側熱交換器に比べて低温である低温側熱交換器と、当該高温側熱交換器と当該低温側熱交換器との間に設けられており且つ作動流体が貫流可能な複数の通路が形成されているスタックと、を有し、当該高温側熱交換器から当該低温側熱交換器に向かうに従って低温となる温度勾配をスタックに形成することにより、作動流体に音圧を発生させる音圧発生部と、
作動流体の音圧を受けて振動する振動膜を有し、当該振動膜の振動を電気エネルギに変換する発電部と、
前記音圧発生部と前記発電部とを接続し、内部に作動流体が充填される配管と、
当該振動膜の張力を変化させることが可能な張力可変機構と、
を備えることを特徴とする熱音響発電装置。
【請求項６】
前記張力可変機構は、
前記振動膜の径方向外側の縁部に沿って結合されているリムと、
当該リムと共に前記配管の径方向外側に取り付けられて、当該リムに対して径方向外側に突出しており且つ軸方向に延びる貫通孔が形成されており、当該リムと当接して軸方向反対側に当該リムを押え付ける押さえリングと、
前記配管から径方向外側に突出して設けられており、雌ねじが形成されている突出部と、
雄ねじが形成されており、前記押さえリングの貫通孔に挿通されて、前記突出部の雌ねじと当該雄ねじが螺合するボルトと、
を有し、
前記ボルトを締め付けることにより、前記押さえリング及び前記リムが、軸方向反対側に移動して、前記振動膜の張力が増大する
ことを特徴とする請求項５に記載の熱音響発電装置。
【発明の詳細な説明】
【技術分野】
【０００１】
本発明の実施形態は、熱音響現象を利用して熱エネルギを電気エネルギに変換する熱音響発電装置に関する。
【背景技術】
【０００２】
熱音響現象を利用して熱エネルギを電気エネルギに変換する装置（以下、熱音響発電装置と記す）が、従来から提案されている。熱音響発電装置は、通常、熱エネルギを音響エネルギに変換するスタックと、音響エネルギを電気エネルギに変換する発電機とを有している。
【０００３】
スタックは、一般的に、外部から熱の供給を受ける高温側の熱交換器（以下、高温側熱交換器と記す）と、低温側の熱交換器（以下、低温側熱交換器と記す）との間に設けられて、高温側熱交換器から低温側熱交換器に向かう方向（以下、軸方向と記す）に作動流体が貫流可能に構成されている。高温側熱交換器に熱を供給して当該スタックに温度勾配を形成することにより、スタックと作動流体との間において熱交換が行われて、作動流体は膨張・収縮を繰り返し、当該作動流体には、自励振動が発生する。
【０００４】
熱音響発電装置において、スタックとの熱交換により作動流体に発生した自励振動すなわち音響エネルギを、トランスデユーサ等を用いて電気エネルギに変換している。
【先行技術文献】
【特許文献】
【０００５】
【特許文献１】特開２００８−１６７５８０号公報
【発明の概要】
【発明が解決しようとする課題】
【０００６】
上述した熱音響発電装置において、作動流体の自励振動は、当該作動流体が充填されている管路、高温側熱交換器、低温側熱交換器、スタック及び発電機の形状や位置関係等に依存する固有振動数（以下、「系の固有振動数」と記す）で起こる。また、スタックにおける熱エネルギから音響エネルギへの変換効率は、作動流体が流れる流路の形状と、自励振動するときの周波数に依存する。熱音響発電装置を作動させるためには、スタックにおける高いエネルギ変換効率を実現しつつ、系の固有振動数に近い振動数で自励振動を生じさせる必要がある。
【０００７】
このような熱音響発電装置において、例えば発電機の構造や位置の変更、装置の据付条件（例えば、熱音響発電装置が固定される構造物との位置関係、固定方法等）等に応じて系の固有振動数が変化してしまい、スタックにおけるエネルギ変換効率が低下することや、作動流体に自励振動が生じないことがある。熱音響発電装置を良好に作動させるためには、スタックにおけるエネルギ変換効率を低下させることなく、作動流体に自励振動を生じさせる必要がある。据付条件等を踏まえて熱音響発電装置ごとに最適な設計をするとなると、製造コストの増大を伴う。また、加工性等の製造上の問題から、必ずしも最適設計を実現できるとは限らない。さらに、経年による据付条件の変化（固定される構造物や固定手段の経年劣化等）も想定され得る。このため、熱音響発電装置においては、スタックの設計変更によることなく、系の固有振動数の調整を可能にする技術が求められている。
【０００８】
本発明の実施形態は、上記事情に鑑みてなされたものであって、系の固有振動数を調整可能な熱音響発電装置を提供することを目的とする。
【課題を解決するための手段】
【０００９】
上述の目的を達成するため、本発明の実施形態の熱音響発電装置は、熱音響現象を利用して熱エネルギを電気エネルギに変換する熱音響発電装置であって、熱エネルギの供給を受ける高温側熱交換器と、高温側熱交換器に比べて低温である低温側熱交換器と、当該高温側熱交換器と当該低温側熱交換器との間に設けられており且つ作動流体が貫流可能な複数の通路が形成されているスタックと、を有し、当該高温側熱交換器から当該低温側熱交換器に向かうに従って低温となる温度勾配をスタックに形成することにより、作動流体に音圧を発生させる音圧発生部と、作動流体の音圧を受けて往復動する往復動部材を有し、当該往復動部材の往復動を電気エネルギに変換する発電部と、前記音圧発生部と前記発電部とを接続し、内部に作動流体が充填される配管と、を備え、当該配管は、軸方向に伸縮可能な部分である伸縮部を有していることを特徴とする。
【００１０】
また、本発明の他の実施形態の熱音響発電装置は、熱音響現象を利用して熱エネルギを電気エネルギに変換する熱音響発電装置であって、熱エネルギの供給を受ける高温側熱交換器と、高温側熱交換器に比べて低温である低温側熱交換器と、当該高温側熱交換器と当該低温側熱交換器との間に設けられており且つ作動流体が貫流可能な複数の通路が形成されているスタックと、を有し、当該高温側熱交換器から当該低温側熱交換器に向かうに従って低温となる温度勾配をスタックに形成することにより、作動流体に音圧を発生させる音圧発生部と、作動流体の音圧を受けて振動する振動膜を有し、当該振動膜の振動を電気エネルギに変換する発電部と、前記音圧発生部と前記発電部とを接続し、内部に作動流体が充填される配管と、当該振動膜の張力を変化させることが可能な張力可変機構と、を備えることを特徴とする。
【発明の効果】
【００１１】
本発明の実施形態によれば、熱音響発電装置において、系の固有振動数を調整することができる。
【図面の簡単な説明】
【００１２】
【図１】第１の実施形態の熱音響発電装置の概略構成を示す縦断面図である。
【図２】第２の実施形態の熱音響発電装置の概略構成を示す縦断面図である。
【図３】第２の実施形態の熱音響発電装置のうち張力可変機構の周辺構造を示す部分縦断面図である。
【図４】第２の実施形態の熱音響発電装置のうち張力可変機構の部品構造を示す分解斜視図である。
【発明を実施するための形態】
【００１３】
以下に、本発明の実施形態について図面を参照して説明する。なお、以下に説明する実施形態により、本発明が限定されるものではなく、その要旨を逸脱しない範囲において種々の変更が可能である。
【００１４】
〔第１の実施形態〕
第１の実施形態の熱音響発電装置について、図１を用いて説明する。図１は、本実施形態の熱音響発電装置の概略構成を示す縦断面図である。
【００１５】
図１に示すように、熱音響発電装置１は、熱エネルギを電気エネルギに変換する装置であって、熱エネルギの供給を受けて、作動流体に音圧を発生させる音圧発生部２０と、作動流体の音圧を受けて、当該作動流体の音響エネルギを電気エネルギに変換する発電部３０を有している。加えて、熱音響発電装置１は、音圧発生部２０と発電部３０とを接続し、内部に作動流体が充填される配管１１を有している。本実施形態において、配管１１は、円筒状をなしている。また、作動流体には、例えば、空気を用いることができる。
【００１６】
なお、以下の説明において、軸方向のうち音圧発生部２０から発電部３０に向かう方向を「軸方向発電側」と記して図に矢印Ａ１で示す。一方、軸方向発電側とは反対側を「軸方向反対側」と記して図に矢印Ａ２で示す。また、当該軸方向に直交する径方向を図に矢印Ｒで示す。音圧発生部２０の軸方向反対側には、略円筒状をなしている配管１０が接続されている。
【００１７】
音圧発生部２０は、外部から熱エネルギの供給を受ける高温側熱交換器２４と、高温側熱交換器２４に比べて低温である低温側熱交換器２６と、高温側熱交換器２４と当該低温側熱交換器２６との間に設けられて、温度勾配が形成されるスタック２２とを有している。本実施形態において、スタック２２は、軸方向に軸心が延びる円柱状をなしている。
【００１８】
スタック２２は、高温側熱交換器２４と低温側熱交換器２６との間において作動流体が貫流可能な通路が複数形成されている。本実施形態において、スタック２２に形成された複数の通路は、軸方向に並列して延びている。また、当該スタック２２の径方向外側には、高温側熱交換器２４と低温側熱交換器２６との間において当該スタック２２の径方向外側を囲う部材（以下、外周部材と記す）２３が、設けられている。
【００１９】
本実施形態において、スタック２２の軸方向反対側には、当該スタック２２に隣接して高温側熱交換器２４が設けられている。一方、スタック２２の軸方向発電側には、当該スタック２２に隣接して低温側熱交換器２６が設けられている。スタック２２は、軸方向において高温側熱交換器２４と低温側熱交換器２６との間に挟まれて設けられている。
【００２０】
高温側熱交換器２４は、軸方向に作動流体が貫流可能に構成されており、且つ高温の水（以下、熱水と記す）が貫流するよう構成されている。高温側熱交換器２４は、外部から熱水が供給されて、当該熱水の熱を受けて高温となる。これにより、高温側熱交換器２４は、熱エネルギの供給を受ける。高温側熱交換器２４は、熱水から受けた熱（熱エネルギ）をスタック２２に伝達する。
【００２１】
高温側熱交換器２４の軸方向反対側Ａ２には、軸方向に延びる配管１０が結合されている。当該配管１０の軸方向反対側の端１０ａは閉じられており、径方向内側には作動流体が充填されている。
【００２２】
低温側熱交換器２６は、軸方向に作動流体が貫流可能に構成されており、且つ冷却用の水（以下、冷却水と記す）が径方向に貫流するよう構成されている。低温側熱交換器２６は、外部から冷却水が供給されて、スタック２２からの熱を吸収することにより、スタック２２を冷却する。低温側熱交換器２６は、スタック２２から伝達された熱（熱エネルギ）を、冷却水に伝達して外部に排出する。排出される冷却水の温度は、外気と同等か僅かに高い温度である。
【００２３】
以上のように構成された音圧発生部２０は、外部から高温側熱交換器２４に熱水を供給すると共に、外部から低温側熱交換器２６に冷却水を供給することで、スタック２２には、軸方向を高温側熱交換器２４から低温側熱交換器２６に向かうに従って低温となる温度勾配が形成される。
【００２４】
このような温度勾配が形成されると、スタック２２と、その通路内にある作動流体との間において、熱交換が行われて、当該作動流体は、膨張・収縮を繰り返す。当該作動流体には、自励振動が生じて作動流体の疎密波である音圧が発生する。なお、音圧に作動流体の粒子速度を乗じた値が、音響エネルギとなる。このようにして、スタック２２は、高温側熱交換器２４からの受けた熱エネルギのうち一部を、作動流体の音響エネルギに変換する。
【００２５】
低温側熱交換器２６の軸方向発電側Ａ１には、軸方向に延びている配管１１が結合されている。本実施形態において、配管１１は、径方向（図に矢印Ｒで示す）の寸法に比べて、軸方向の寸法が大きくなるよう構成されている。配管１１のうち軸方向発電側の端部１４には、発電部３０が配設されている。配管１１の径方向内側の空間５には、作動流体が充填されており、音圧発生部２０において発生した音圧（音響エネルギ）は、空間５の当該作動流体を介して発電部３０に伝達される。
【００２６】
本実施形態の発電部３０は、いわゆるリニア・インダクション・モータとして構成されており、作動流体の音圧を受けて軸方向に往復動する部材（以下、往復動部材と記す）３３を有している。本実施形態の発電部３０において、往復動部材３３は、軸方向に延びる略円柱状をなしており、永久磁石（磁石）を含んで構成されている。発電部３０は、往復動部材３３の径方向外側において、線材が巻回されて構成されたコイル３６を有している。
【００２７】
さらに、本実施形態の発電部３０は、径方向においてコイル３６と往復動部材３３との間は、軸方向に延びる筒状をなしておりコイル３６の線材が巻き付けられる部材（以下、コイル芯と記す）３５が設けられている。コイル芯３５は、配管１１の軸方向発電側の端部１４に結合されている。
【００２８】
往復動部材３３は、コイル３６及びコイル芯３５の径方向内側を軸方向に往復動可能に構成されている。発電部３０は、往復動部材３３を軸方向に往復動可能に支持する台（以下、磁石台と記す）３２を有している。コイル芯３５とその径方向内側にある往復動部材３３は、スタック２２及び熱交換器２４，２６と軸方向に対向して配置されており、且つ配管１１の軸方向発電側の開口を閉じるように配置されている。
【００２９】
往復動部材３３のうち軸方向反対側の端面３３ａは、配管１１内の空間５に面しており、作動流体の圧力を受ける。往復動部材３３が作動流体の音圧を受けて往復動すると、コイル３６には誘導電流が生じる。これにより、発電部３０は、往復動部材３３の往復動すなわち音響エネルギを、電気エネルギに変換する。
【００３０】
本実施形態の配管１１は、上述した軸方向発電側の端部１４に加えて、軸方向に伸縮可能に構成されている部分（以下、伸縮部と記す）１５と、伸縮部１５より軸方向反対側の端部１３を有している。伸縮部１５は、配管１１の周方向に延びる環状をなしている。伸縮部１５は、図１に示すように、縦断面が蛇腹状をなしており、いわゆるフレキシブルチューブとして構成されている。伸縮部１５を軸方向に伸縮させることにより、作動流体の自励振動に関する配管１０の軸方向発電側の境界条件を変えることができる。また、伸縮部１５を別のものに交換して伸縮部１５の軸方向の抵抗力（ばね定数）を変更することによっても、当該境界条件を変えることができる。作動流体の自励振動に関する軸方向発電側の境界条件を変えることにより、系の固有振動数を調整することができる。
【００３１】
なお、本実施形態において、発電部３０において、永久磁石を含む往復動部材３３は、作動流体の音圧を受けて、コイル３６の径方向内側を往復動するものとしたが、本発明に係る発電部は、この態様に限定されるものではない。往復動部材にコイルが設けられており、当該往復動部材の径方向外側に永久磁石（磁石）が設けられているものとしても良い。なお、本発明に係る発電部が、音響エネルギを電気エネルギに変換する態様には、様々な態様のものを用いることができる。
【００３２】
〔第２の実施形態〕
第２の実施形態の熱音響発電装置の概略構成について、図２を用いて説明する。図２は、本実施形態の熱音響発電装置の概略構成を示す縦断面図である。
【００３３】
本実施形態の発電部は、作動流体の音圧を受けて振動する振動膜が設けられており、当該振動膜の振動を電気エネルギに変換する点と、振動膜の張力を変化させることにより、作動流体の自励振動に関する軸方向発電側の境界条件を変える点で、第１の実施形態と異なっている。なお、第１の実施形態と略共通の構成については、同一の符号を付して説明を省略する。
【００３４】
図２に示すように、本実施形態の熱音響発電装置１Ｃは、第１の実施形態と同一の音圧発生部２０と、配管１０とを有している。音圧発生部２０のうち低温側熱交換器２６の軸方向発電側Ａ１には、軸方向に延びている配管１２が結合されている。当該配管１２は、剛体として構成されている。配管１２の径方向内側の空間６には、作動流体が充填されている。
【００３５】
本実施形態の熱音響発電装置１Ｃにおいて、配管１２のうち軸方向発電側の端部には、発電部３０Ｃが配設されている。発電部３０Ｃは、作動流体の音圧（自励振動）を受けて振動する膜状の部材（以下、単に「振動膜」と記す）３４を有している。音圧発生部２０のスタック２２において発生した音圧（音響エネルギ）は、空間６の当該作動流体を介して発電部３０Ｃの振動膜３４に伝達される。
【００３６】
図２に示すように、振動膜３４は、撓みによる弾性変形が可能な円形の部材で構成されている。振動膜３４は、例えばプラスチック・フィルム等の合成樹脂を用いて構成することができる。振動膜３４は、配管１２のうち軸方向発電側にある開口１２ｅ（図３参照）を覆うように構成されている。振動膜３４は、空間６にある作動流体の音圧を受けて撓み、軸方向に振動する。発電部３０Ｃは、当該振動膜３４の撓みによる振動を、電気エネルギに変換する。
【００３７】
振動膜３４のうち軸方向発電側には、振動膜３４の軸方向の振動を電気エネルギに変換する変換器（トランスデューサ）３８が設けられている。変換器３８には、例えば、加えられた力を電圧に変換する圧電変換素子が用いられている。本実施形態の発電部３０Ｃにおいて、変換器３８は、軸方向の振動により振動膜３４の撓み変形（歪み）による力を電気エネルギに変換する。
【００３８】
さらに、熱音響発電装置１Ｃは、振動膜３４の張力を変化させることが可能な機構（以下、張力可変機構と記す）４０を有している。本実施形態の張力可変機構４０の詳細な構成について、図３及び図４を用いて説明する。図３は、本実施形態の熱音響発電装置のうち張力可変機構の周辺構造を示す部分縦断面図である。図４は、本実施形態の熱音響発電装置のうち張力可変機構の部品構造を示す分解斜視図である。
【００３９】
図３及び図４に示すように、張力可変機構４０は、振動膜３４の径方向外側の縁部に沿って結合されている環状の部材（以下、単に「リム」と記す）４１を有している。リム４１は、図３に示すように、その内径が、配管１２の外径に比べてわずかに大きくなるよう構成されている。リム４１は、径方向内側に振動膜３４が結合された状態で、配管１２の径方向外側に取り付けられる。
【００４０】
加えて、張力可変機構４０は、リム４１と当接して図に矢印Ａ２で示す軸方向反対側に当該リム４１を押え付ける部材（以下、押さえリングと記す）４３を有している。押さえリング４３は、リム４１と共に、配管１２の径方向外側に取り付けられる。本実施形態において、押さえリング４３は、リム４１に沿って周方向に延びており、円環状をなしている。
【００４１】
押さえリング４３は、リム４１と共に配管１２の径方向外側に取り付けられた状態において、リム４１に対して径方向外側に突出して広がる部分４３ｅを有しており、当該部分４３ｅには、軸方向に延びる貫通孔４３ａが形成されている。
【００４２】
押さえリング４３には、複数の貫通孔４３ａが形成されており、各貫通孔４３ａには、それぞれ、ボルト４４が挿通される。各ボルト４４には、雄ねじ４４ａが形成されている。一方、配管１２には、径方向外側に突出する部分（以下、突出部と記す）４５が設けられており、当該突出部４５には、ボルト４４の雄ねじ４４ａと螺合する雌ねじ４５ａが形成されている。
【００４３】
以上のように構成された張力可変機構４０は、図３に示すように、雄ねじ４４ａと雌ねじ４５ａとを螺合させてボルト４４を締めると、配管１２の突出部４５とリム４１は、ボルト４４及び押さえリング４３を介して係合する。ボルト４４を締めるに従って、リム４１は、突出部４５に近接する。リム４１が軸方向を突出部４５に向けて移動するに従って、当該リム４１に結合されている振動膜３４は、径方向外側に引っ張られて、張力が増大する。
【００４４】
このように、本実施形態の張力可変機構４０においては、ボルト４４の締め付け量を変化させることにより、振動膜３４に作用する張力を変化させることができる。本実施形態においては、振動膜３４の張力を変化させることにより、作動流体の自励振動に関する配管１２の軸方向発電側の境界条件を変えて、系の固有振動数を調整することができる。
【００４５】
なお、本実施形態の熱音響発電装置１Ｃの配管１２に、第１実施形態の伸縮部１５を設けることも好適である。このように構成することで、系の固有振動数を、より広い範囲内で調整することができる。
【００４６】
〔他の実施形態〕
上述した各実施形態において、音圧発生部２０は、スタック２２の径方向外側を囲う外周部材２３を有するものとしたが、本発明に係る音圧発生部の態様は、これに限定されるものではない。本発明に係る音圧発生部は、外周部材２３を有さず、スタック２２と高温側熱交換器２４及び低温側熱交換器２６により構成されているものとして良い。
【００４７】
また、各実施形態において、スタック２２は、作動流体が貫流可能な複数の通路が、軸方向に並列して延びているものとしたが、当該通路の形状は、この態様に限定されるものではない。スタックは、作動流体が貫流可能な複数の通路が形成されており、且つ軸方向に温度勾配を形成することができれば、様々な態様のものを用いることができる。
【００４８】
また、上述した各実施形態において、作動流体に音圧を発生させる音圧発生部２０を構成する高温側熱交換器２４及び低温側熱交換器２６は、それぞれ水が径方向に貫流可能なものであり、高温側熱交換器２４が、低温側熱交換器２６に比べて高温の水（熱水）の供給を受けることにより、スタック２２に温度勾配を形成するものとしたが、高温側熱交換器及び低温側熱交換器は、この態様に限定されるものではない。高温側熱交換器は、外部から熱エネルギの供給を受けることができれば良い。また、低温側熱交換器は、高温側熱交換器に比べて低温であれば良い。
【００４９】
本発明のいくつかの実施形態について説明したが、これらの実施形態は、例として提示したものであり、発明の範囲を限定することは意図していない。これら新規な実施形態はその他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１，１Ｃ  熱音響発電装置
５，６  空間
１０  配管
１０ａ  端
１１，１２  配管
１３，１４  端部
１５  伸縮部
２０  音圧発生部
２２  スタック
２３  外周部材
２４  高温側熱交換器（熱交換器）
２６  低温側熱交換器（熱交換器）
３０，３０Ｃ  発電部
３２  磁石台
３３  往復動部材
３３ａ  端面
３４  振動膜
３５  コイル芯
３６  コイル
３８  変換器
４０  張力可変機構
４１  リム
４３  押さえリング
４３ａ  貫通孔
４３ｅ  部分
４４  ボルト
４４ａ  雄ねじ
４５  突出部
４５ａ  雌ねじ
【図１】
2016096614.tif 000003
【図２】
2016096614.tif 000004
【図３】
2016096614.tif 000005
【図４】
2016096614.tif 000006